(57)【要約】      （修正有）【課題】小型軽量で確実な動作ができるだけでなく、単純な構成、製造が安価で操作が容易なサルの腕括り罠装置を提供する。【解決手段】互いに平行に配置された３個の円形リングで構成され、外部２個の固定リング２は固定リングシャフト９の先端部に固定してあり、他の円形リングに対してバネの力によりスライドする中央の楕円リング１は、内側に切っ先を有するとともに、外部の２個のリングより幅が微小に作製されている。固定リングシャフトに設けられた係止ロックピンが、楕円リングを先端に有する楕円リングシャフト１０に設けられた係止ロック孔から外れ係止が解除されると中央の楕円リングがバネの力により、外部２個の固定リングの内壁間をスライドして、サルの腕を拘束し捕獲する。【選択図】図５
0003184883.tif 000002
【実用新案登録請求の範囲】
【請求項１】
３個の円径リングで構成され、外部２個の固定リングは同軸に固定してあり、中央のスライドをする楕円リングは捕獲のためにセットをしたとき、切っ先鋭い針がサルの手に当たる違和感がないように楕円リングにして幅を確保し、楕円リングは外部の２個のリングより幅を微小に作製し、スライドを可能にしてあり、係止を解除された際に中央の楕円リングがバネの力により、外部２個の固定リングの内壁をスライドをして、可圧をし揃弾力によりサルの腕を痛感で拘束し捕獲をすることを特徴とするサルの腕括り罠装置。
【請求項２】
スライドをするバネシャフトは鉄製で支点からの同心円の狐の部分狐であり、鉄製のバネシャフトを可動範囲とし、捕獲をしたサルが罠を外そうとしても鉄製バネシャフトの外側にバネを装着したことにより、可圧したバネをサルが引っ張る等の影響を受けないのを特徴とする前記請求項1記載のサルの腕括り用装置。
【請求項３】
係止が解除された際にスライドをする中央の楕円リングの可圧を調整するために、バネシャフトに２個の穴を加工してあり、穴に挿すピンの位置でバネ固定ワッシャーを移動さし、バネ圧の強弱を可能にすることにより、サルの腕を拘束したとき回避ができないことを特徴とする前記請求項1又は２記載のサルの腕括り罠装置。
【考案の詳細な説明】
【技術分野】
【０００１】
本考案は、有害野生動物のサルを捕獲するための罠装置に関するものである。
【背景技術】
【０００２】
有害野生動物である猪や鹿等の捕獲するための罠はあるが、サルは檻による捕獲がほとんどで実用新案で１件に手を括る罠があり、サルの手首を括って捕獲をする形式の罠装置が提案されている。サルによる被害は甚大であり深刻な問題である。例えば、徳島県那賀町は徳島県の１７％面積を占め、東京23区の人口13,220,000人より1割広い面積で9,300人と非常に少なく、高齢化が進み、人口減少は年400人で当地の高齢化を考えると減少は益々加速すると思われる。主だった産業もなく、限界集落寸前の当地である。過疎化が進み、人が少ないのと以前のように犬を飼う民家も殆んどなく野犬が全くいないのが災いして、サル等の有害野生動物が里に下りて、人が栽培する野菜、果樹、根採で食は満たされ、以前の山で生活をしていたときに比べ食糧が豊富で安定したため、ここ近年は多産になり、悪循環を助長しているのが本当で、サル、シカ、イノシシ対策の野菜栽培は金網檻の中での栽培が現実である。柿、クリ、ビワに至ってはすべてがサルの餌で、捕えなければ生活が成り立たないのが現状である。本考案のサル用罠は捕えて殺を目的としない、里は危ないをサルに教え、賢いサルの学習能力に期待をする考案でもあり、サル１頭３万円、シカ１頭２万円の捕獲補助金が出る。この捕獲に補助金を出す行政が上記有害動物にいかに深刻であるかを証明をしている。  
【先行技術文献】
【特許文献】
【０００３】
【特許文献１】登録実用新案第3140006号
【考案の概要】
【考案が解決しようとする課題】
【０００４】
例えば、特許文献１には、餌を入れた容器に手を入れＹ字型ロープに触れると外部に隠したリングが働いてピンが外れて手を括る装置がある。猿は人と違い手首と手の掌の違いが少ないため人型の手錠による捕獲は無理である。ロープにより手首を括るには歯の鋭い猿は簡単に噛み切り、また餌カゴに隠した捕獲をするロープの輪の径が大きすぎるため瞬時に手を抜き回避する等の問題点がある。
【課題を解決するための手段】
【０００５】
上記課題を解決するため本考案のサルの腕括り罠の主要部は、円形リング2個と楕円リング1個の３個のリングで構成され、各リングはリングシャフトを固定するボルトを支点とする作動体であり、外部２個の円形リングは同軸に固定して、中央のスライドをする楕円リングは、外部の2個の円形リングより幅を微小に作製し、捕獲のためセットをしたときに、切っ先鋭い捕獲針が手に当たる違和感がないように、楕円リングにして幅を確保し、係止が解除された際に中央の楕円リングがバネの力により外部２個の円形リングの内壁をスライドをして、可圧をし揃弾力によりサルの腕を痛感で拘束し捕獲をすることで問題点を解決しようとするものである。
【０００６】
スライドをするバネ装着部は鉄製で支点からの同心円の狐の部分狐であり、鉄製のバネシャフトを可動範囲とし、捕獲をしたサルが罠を外そうとしても鉄製バネシャフトの外面にバネを装着したことにより、可圧したバネをサルが引っ張る等の影響を受けないことで拘束を回避する問題点を解決しようとするものである。
【０００７】
係止が解除された際に、スライドをする楕円リングの可圧を調整するために、バネ装着部であるバネシャフトに２個の穴を加工してあり、穴に挿すピンの位置でバネ固定ワッシャーを移動をすることにより、バネ圧の強弱を可能にしたため、腕を拘束したとき拘束が回避ができないことで問題点を解決しようとするものである。
【考案の効果】
【０００８】
本考案は、今までにない手首のみならず腕全体の１部でも痛感により拘束を可能とし、捕獲する考案である。
【０００９】
本考案は、鉄製であることから製造が安価で堅牢、複雑な作動体等の係止もなく、また凍結でも、作動不良の心配がないことで問題点を解決をしている。
【００１０】
本考案の罠装置はサルが餌を取ろうとして、腕を入れて餌を引っ張り、係止が解除されたときに、楕円リングの捕獲作動範囲も少なく、主要部のリング径が小さいために、瞬時に腕を拘束することで問題点を解決をしている。
【図面の簡単な説明】
【００１１】
【図１】本考案の好適な実施例について説明する。本装置の一実施例の捕獲作動前を示す正面図である。
【図２】係止が解除されバネにより作動をし、サルの腕を拘束をした状態の正面図である。
【図３】係止の詳細な正面図である。
【図４】支点を中心にした部分狐のシャフトであり、シャフトの外面にバネを装着した正面図と側面図である。
【図５】本考案の捕獲部と餌入れの篭をセットした正面図である。
【図６】円形リングに餌カゴ設置の取り付け部３か所の詳細図である。
【図７】円形リングに餌カゴ設置の取り付け部３か所の詳細図である。
【図８】餌篭設置は、径を小さくした３か所で挿入し、回して固定をする。その挿入部の断面図ある。
【図９】本考案のバネによる作動部の正面図である。
【図１０】係止の詳細側面図と天秤棒の詳細図である。
【考案を実施するための形態】
【００１２】
本考案は金網で作った篭に餌を入れ、民家の近くの里に出没するサルを、捕獲するために、本装置の設置はカゴ部を高い木立に紐で括って固定をする。捕獲した際にカゴ部と本体リング部は分離するよう作られているのと、高い木立に取り付けることで、子供に危害を与えない配慮もしてあり、また係止の係止ロックナットを締めて、木立に取り付け、餌入れ等の作業をすべて完了した後、係止ロックナットを緩めることで、係止を作動状態にすることができる。
【実施例】
【００１３】
以下、図面を参照しながら、本考案の一例を説明する。この実施例のサルの腕括り罠は図１、図５に示す様にリングの径が小さいので係止が解除されると瞬時に腕を拘束することができる。
【００１４】
図２は係止が解除された状態図である。
【００１５】
図３の係止は厚み３ｍｍの鉄製で堅牢、丈夫であるだけでなく、誤作動がない、また図３の１１で係止をナット１１aで固定することで、捕獲の準備が安全かつ容易にができる。
【００１６】
図４の１６はバネをピン移動することでバネ受けワッシャー１７を移動をし、可圧の調整ができる。
【００１７】
図５はエサを取ろうとして、餌を引っ張ると係止が外れて、切っ先鋭い捕獲針で腕を拘束する状態図である。
【００１８】
各図の３は楕円リングストパーである。４は楕円リングとリングストッパーの連結シャフトである。スライドしてサルの腕を拘束する時に、連結シャフトはスライダーとしてガタつきのないスムーズな作動を特徴とする連結シャフトである。
【００１９】
図５、係止の解除は餌２７をサルが取ろうとして、引っ張ると餌連動ライン１４を天秤棒通して、２３が動き天秤棒支点２４が回転して、係止に連結した餌連動ライン１４で係止が外れて、瞬時に腕を拘束をする。係止解除の構造が簡単で単純なためトラブルがないのが特徴の罠装置である。
【００２０】
図６は連結をした２円形リングと２９の餌篭取り付け部の詳細図である。
【００２１】
図７は円形リングに餌カゴ設置の取り付け部３か所の詳細図である。餌篭設定は餌篭を  回転するだけで簡単取り付けができるのが特徴の罠装置である。
【００２２】
図８は餌篭取り付け突起部の拡大断面図である。
【００２３】
図９は７支点ボルトを支点とした１５バネシャフトは部分狐であり、バネシャフトの外面に１８バネを装着することで、サルが拘束を回避しようとしても、サルの力による影響を受けないのが特徴のサル罠である。
【００２４】
図１０は係止と２３天秤棒の１４餌連動ラインの詳細図であり、６係止はサルが餌を引っ張り天秤棒、餌ラインと力が伝わり、係止が解除した状態が６aである。天秤棒には２４
天秤棒支点があり、力の３要素である。支点、力点、作用点を考えてあり、また１１係止ボルトは１１a係止ロックナットで作動開始状態及び作動をロックすることができるのが特徴のサル罠である。
【００２５】
本考案のサルの腕括り罠、図６の２９は篭取り付け部の３か所の突起部で餌篭の径は円形リングより、やや小さく作製してある。餌篭は針金の極太で作って、突起部に当たる所をハンマーで叩いて内側に曲げてあり、装着は曲げた所を挿入し、回転さすことで簡単に取り付けが可能であり、またある程度以上の力がかかると針金作成の餌篭は、たわみにより簡単に外れ、図１の８に固定したワイヤ−ともう一端を付近の木に固定をして逃亡を阻止する。
【００２６】
以上説明したように、本考案による罠装置は部品点数が少ないため製造が容易で安価であるばかりでなく、操作が簡単で持ち運びも容易である。また冬期に構造が簡単なため、凍結による固着、作動不良がないのが本装置サルの腕括り罠の特徴である。
【符号の説明】
【００２７】
１      楕円リング
２      円形リング
３      リングストッパー
４      連結シャフト
５      捕獲針
６      係止
６a     係止ロックナット
７      支点ボルト
８      金属ワイヤー固定フック
９      固定リングシャフト
１０      楕円リングシャフト
１１      係止支点ボルト
１１a     係止ロックナット
１２      係止ロックピン
１３      係止ロック穴
１４      餌連動ライン
１５      バネシャフト
１６      バネ圧可変ピン穴
１７      バネ可変ワッシャー
１８      バネ
１９      バネ受けワッシャー
２０      バネ受け台座
２１      餌篭  針金の骨格で金網を張っての作り
２２      サルの腕
２３      天秤棒
２４      天秤棒支点
２５      餌篭蓋
２６      餌ラインフック
２７      柿、ミカン、クリ等の餌
２８      固定リング固定板
２９      餌篭取り付け突起部
３０      餌篭挿入スライド部
３１      餌篭取り付け突起部溶接個所
３２      バネ受け
３３      固定リング溶接部
３４      餌篭固定ロープ
【図１】
0003184883.tif 000003
【図２】
0003184883.tif 000004
【図３】
0003184883.tif 000005
【図４】
0003184883.tif 000006
【図５】
0003184883.tif 000007
【図６】
0003184883.tif 000008
【図７】
0003184883.tif 000009
【図８】
0003184883.tif 000010
【図９】
0003184883.tif 000011
【図１０】
0003184883.tif 000012
【手続補正書】
【提出日】平成25年5月16日(2013.5.16)
【手続補正１】
【補正対象書類名】実用新案登録請求の範囲
【補正対象項目名】全文
【補正方法】変更
【補正の内容】
【実用新案登録請求の範囲】
【請求項１】
互いに平行に配置された３個の円形リングで構成され、外部２個の固定リングは固定リングシャフト（９）の先端部に固定してあり、他の円形リングに対してバネの力によりスライドする中央の楕円リングは、内側に切っ先を有するとともに、楕円リングは外部の２個のリングより幅を微小に作製し、スライドを可能にしてあり、固定リングシャフト（９）に設けられた係止ロックピン（１２）が、楕円リングを先端に有する楕円リングシャフト（１０）に設けられた係止（６）に形成された孔から外れ係止（６）が解除された際に中央の楕円リングがバネの力により、外部２個の固定リングの内壁間をスライドして、可圧をし剪断力によりサルの腕を痛感で拘束し捕獲することを特徴とするサルの腕括り罠装置。